Podtech/llm-jp-corpus-v4-ja_patent huggingface dataset:
【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
光源から射出される光を測定光と参照光に分割し、光プローブの光出射部から前記測定光を測定対象に照射し、該測定対象からの反射光と前記参照光とを合波し、前記反射光と前記参照光が合波したときの干渉光を干渉信号として検出し、該干渉信号を用いて前記測定対象の断層画像を取得する光断層画像化装置であって、
前記光出射部からの測定光を前記光プローブの長手軸の周りに回転させてラジアル走査を行う光プローブと、
前記光プローブの側面のうち、前記測定対象に面した第１の側面と、
前記光プローブの側面のうち、前記第１の側面以外の部分で構成された第２の側面と、
前記第２の側面側であって、前記光出射部から離間した位置に設けられ、前記光プローブの光出射部から出射された測定光を反射して前記測定対象に間接的に照射する反射面を有する反射体であって、該反射面は、前記光出射部から出射された測定光が前記測定対象に直接照射される測定領域よりも広い領域範囲に前記光出射部からの測定光を反射して測定領域を拡大する反射体と、
を備えたことを特徴とする光断層画像化装置。
【請求項２】
前記光プローブは、前記光出射部から所定距離離れた位置を第１集光点として集光する測定光を出射して、該第１集光点近傍に存在する測定対象の断層画像を有効に取得し、ラジアル走査時において、前記第１集光点を前記長手軸の周りに回転させることにより、前記光プローブの全周にわたる測定対象の断層画像を取得する光プローブであり、
前記反射体は、前記光プローブの長手軸を含む所定方向の平面によって分けられる第１領域と第２領域のうち、前記測定対象が配置される第１領域側と反対側の第２領域側に配置され、前記光プローブから前記第２領域側に出射された測定光を反射して前記第１領域内の第２集光点に集光させることにより、該第２集光点近傍に存在する前記測定対象の断層画像を取得するものであり、ラジアル走査時において、前記第１集光点の前記第１領域内での走査幅よりも前記第２集光点の前記第１領域内での走査幅を拡大させることにより、測定領域を拡大することを特徴とする請求項１の光断層画像化装置。
【請求項３】
前記光プローブは、前記光出射部を前記光プローブの長手軸方向に移動させることにより、前記光出射部から所定距離離れた位置であり、前記測定光が集光する第１集光点を前記光プローブの長手軸方向に移動させることを特徴とする請求項１、又は、２の光断層画像化装置。
【請求項４】
前記光プローブは、全体を覆う長筒状のプローブ外筒と、前記プローブ外筒内に配置され、測定光を伝送する光ファイバと、光ファイバの先端に設置され、前記光出射部として作用すると共に前記光ファイバの先端から出射された測定光が前記長手軸に対して所定角度傾斜した方向の第１集光点で集光するように作用する光学レンズと、を備えたことを特徴とする請求項１、２、又は、３の光断層画像化装置。
【請求項５】
前記光プローブは、内視鏡の挿入部先端に突出配置されることを特徴とする請求項１乃至４のうちのいずれか１に記載の光断層画像化装置。
【請求項６】
前記光プローブは、前記内視鏡の鉗子チャンネル内を挿通し、前記挿入部先端の鉗子導出口から導出されることを特徴とする請求項５の光断層画像化装置。
【請求項７】
前記反射体は、前記内視鏡の挿入部先端に支持された支持部材により支持されることを特徴とする請求項５、又は、６の光断層画像化装置。
【請求項８】
前記支持部材は、前記反射体を前記光プローブの長手軸方向に移動可能に支持することを特徴とする請求項７の光断層画像化装置。
【請求項９】
前記支持部材は、前記反射体に連結された棒状のアームであり、該アームが前記内視鏡の挿入部に装着されるオーバチューブ、又は、フードに支持されることを特徴とする請求項７、又は、８の光断層画像化装置。
【請求項１０】
前記オーバチューブ、又は、フードは前記アームを挿通して前記光プローブの長手軸方向に摺動可能に支持する嵌入孔を備えたことを特徴とする請求項９の光断層画像化装置。
【請求項１１】
前記光プローブの長手軸方向の移動に関して前記反射体を前記光プローブの光出射部と連動させる連動手段を備えたことを特徴とする請求項８、又は、１０の光断層画像化装置。
【請求項１２】
前記光プローブ全体を前記光プローブの長手軸方向に移動させることにより前記光プローブの光出射部を前記光プローブの長手軸方向に移動させるものとし、前記連動手段は、光プローブの全体を覆う長筒状のプローブ外筒と前記反射体とを連結する手段であることを特徴とする請求項１１の光断層画像化装置。
【請求項１３】
前記光プローブの光出射部から出射された測定光が前記内視鏡の挿入部先端により遮断されない位置となるように前記光プローブの長手軸方向の移動に関する前記反射体の移動範囲を規制する規制部材を前記内視鏡の挿入部先端に備えたことを特徴とする請求項１１、又は、１２の光断層画像化装置。
【請求項１４】
前記反射体の周辺部を覆うと共に少なくとも前記測定光の光路となる部分が前記測定光を透過する透明の部材で形成された収容部材を備えたことを特徴とする請求項１乃至１３のうちのいずれか１に記載の光断層画像化装置。
【手続補正２】
【補正対象書類名】明細書
【補正対象項目名】００２０
【補正方法】変更
【補正の内容】
【００２０】
請求項３に係る光断層画像化装置は、請求項１、又は、２に記載の発明において、前記光プローブは、前記光出射部を前記光プローブの長手軸方向に移動させることにより、前記光出射部から所定距離離れた位置であり、前記測定光が集光する第１集光点を前記光プローブの長手軸方向に移動させることを特徴としている。
【手続補正３】
【補正対象書類名】明細書
【補正対象項目名】００２２
【補正方法】変更
【補正の内容】
【００２２】
請求項４に係る光断層画像化装置は、請求項１、２、又は、３のうちのいずれか１に記載の発明において、前記光プローブは、全体を覆う長筒状のプローブ外筒と、前記プローブ外筒内に配置され、測定光を伝送する光ファイバと、光ファイバの先端に設置され、前記光出射部として作用すると共に前記光ファイバの先端から出射された測定光が前記長手軸に対して所定角度傾斜した方向の第１集光点で集光するように作用する光学レンズと、を備えたことを特徴としている。
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
プログラムを記憶するプロセッサ記憶部と、前記プロセッサ記憶部に対してプログラムを読み書きするプロセッサ制御部とを備えるプロセッサと、
プログラムを記憶するスコープ記憶部と、前記スコープ記憶部に対してプログラムを読み書きするスコープ制御部とを備えるスコープとを備え、
前記プロセッサ制御部は、外部から第１のプログラムを読み込んで前記プロセッサ記憶部に書き込み、かつ前記スコープ記憶部に記憶されている第２のプログラムを前記スコープ制御部を介して読み出して前記プロセッサ記憶部に書き込んだ後に、前記第１のプログラムを前記スコープ制御部に送信し、
前記スコープ制御部は、前記第１のプログラムを受信して前記スコープ記憶部に書き込み、そして前記スコープ記憶部に書き込まれている前記第１のプログラムを検査し、これによりエラーが見つかった場合には、前記プロセッサ制御部は、前記第２のプログラムを前記スコープ制御部に送信し、前記スコープ制御部は、前記第２のプログラムを受信して前記スコープ記憶部に書き込む内視鏡装置。
【請求項２】
前記スコープ制御部は、前記スコープ記憶部に書き込まれている前記第１のプログラムを検査し、これによりエラーが見つからなかった場合には、前記プロセッサ制御部は、前記プロセッサ記憶部に記憶されている前記第２のプログラムを消去する請求項１に記載の内視鏡装置。
【請求項３】
前記プロセッサ制御部は、前記第１のプログラムを前記スコープ制御部に送信した後に、前記プロセッサ記憶部に記憶されている前記第１のプログラムを消去する請求項１又は２に記載の内視鏡装置。
【請求項４】
前記プロセッサ記憶部は、第１の記憶部と第２の記憶部とを備え、前記第１の記憶部は、外部から読み込まれた前記第１のプログラムを記憶し、前記第２の記憶部は、前記スコープ記憶部に記憶されている前記第２のプログラムを記憶する請求項１から３のいずれかに記載の内視鏡装置。
【請求項５】
前記第１のプログラムは、バージョン情報及び対応するスコープの識別情報を有し、
前記プロセッサ制御部は、前記第１のプログラムの前記識別情報が前記スコープの識別情報と一致し、かつ前記第１のプログラムの前記バージョン情報が前記第２のプログラムのバージョン情報よりも新しい場合に、前記第１のプログラムを前記スコープ制御部に送信する請求項１から４のいずれかに記載の内視鏡装置。
【請求項６】
前記第１のプログラムは、バージョン情報及び対応するスコープの識別情報を有し、
前記プロセッサ制御部は、前記第１のプログラムの前記識別情報が前記スコープの識別情報と一致し、かつ前記第２のプログラムの前記バージョン情報が前記第１のプログラムのバージョン情報よりも新しい場合に、前記スコープ記憶部に記憶されている第２のプログラムを前記スコープ制御部を介して読み出して前記プロセッサ記憶部に書き込む請求項１から５のいずれかに記載の内視鏡装置。
【請求項７】
プログラムを記憶するプロセッサ記憶部と、前記プロセッサ記憶部に対してプログラムを読み書きするプロセッサ制御部とを有するプロセッサと、プログラムを記憶するスコープ記憶部と、前記スコープ記憶部に対してプログラムを読み書きするスコープ制御部とを有するスコープとを備える内視鏡装置の制御方法であって、
前記プロセッサ制御部が、外部から第１のプログラムを読み込んで前記プロセッサ記憶部に書き込み、かつ前記スコープ記憶部に記憶されている第２のプログラムを前記スコープ制御部を介して読み出して前記プロセッサ記憶部に書き込むステップと、
前記スコープ制御部が、前記第１のプログラムを前記スコープ記憶部に書き込むステップと、
前記スコープ制御部が、前記スコープ記憶部に書き込まれている前記第１のプログラムを検査するステップと、
前記検査するステップにおいて前記第１のプログラムにエラーが見つからなかった場合に、前記プロセッサ制御部が、前記プロセッサ記憶部に記憶されている前記第２のプログラムを消去するステップと、
前記検査するステップにおいて前記第１のプログラムにエラーが見つかった場合に、前記スコープ制御部が、前記第２のプログラムを前記スコープ記憶部に書き込むステップと、
前記プロセッサ制御部が、前記プロセッサ記憶部に記憶されている前記第１のプログラムを消去するステップとを備える内視鏡装置の制御方法。
【請求項８】
前記第１のプログラムはバージョン情報及び対応するスコープの識別情報を有し、
前記第１のプログラムの前記識別情報が前記スコープの識別情報と一致し、かつ前記第２のプログラムの前記バージョン情報が前記第１のプログラムのバージョン情報よりも新しい場合に、前記プロセッサ制御部が、前記スコープ記憶部に記憶されている第２のプログラムを前記スコープ制御部を介して読み出して前記プロセッサ記憶部に書き込むステップとをさらに備える請求項７に記載の内視鏡装置の制御方法。
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
前記遊技領域内に配置され遊技媒体が開放時に入賞可能となる開閉入賞装置と、
前記始動口に遊技媒体が入賞したことに基づいて抽選を行う抽選手段と、
前記抽選手段の抽選結果が当りであるとき、当該当りの種別に応じた開閉動作で前記開閉入賞装置を制御する開閉動作制御手段と、
前記開閉動作制御手段による前記開閉入賞装置の開放時に遊技媒体を入賞させたとき、所定数の遊技媒体を払い出す払出手段と、
前記開閉入賞装置の開閉動作を行った後の抽選において前記抽選手段の抽選結果が当りとなる確率を通常時よりも高い高確率状態に所定の割合で制御する高確率状態制御手段と、
前記開閉入賞装置の開閉動作を行った後に前記高確率状態に制御するか否かを遊技者が判別困難とする潜伏演出を実行する潜伏演出実行手段と、を備え、
前記開閉動作制御手段は、
前記抽選手段の抽選結果が長開放当りである場合、前記開閉入賞装置の開閉動作を、遊技媒体が入賞容易となり且つ遊技者が獲得可能な利益を異ならせた複数種類の動作のうち、前記利益がもっとも少なくなる動作とした第一開閉動作制御手段と、
前記抽選手段の抽選結果が短開放当りである場合、前記開閉入賞装置の開閉動作を、遊技媒体が入賞困難な動作とした第二開閉動作制御手段と、を含み、
前記高確率状態制御手段は、前記第二開閉動作制御手段により前記開閉入賞装置の開閉動作を行った後の抽選において前記高確率状態に制御される割合よりも、前記第一開閉動作制御手段により前記開閉入賞装置の開閉動作を行った後の抽選において前記高確率状態に制御される割合のほうが高く設定されており、
前記潜伏演出実行手段は、前記第二開閉動作制御手段により前記開閉入賞装置の開閉動作を行った後に実行される潜伏演出よりも、前記第一開閉動作制御手段により前記開閉入賞装置の開閉動作を行った後に実行される潜伏演出のほうが前記高確率状態に制御されている割合が高いことを特徴とする遊技機。
【請求項２】
乱数を取得する乱数取得手段を備え、
前記抽選手段は、前記乱数取得手段により取得された乱数に基づいて抽選を行うことを特徴とする請求項１記載の遊技機。
【請求項３】
前記遊技領域に向けて遊技媒体を打ち込む発射手段を備えることを特徴とする請求項１または請求項２に記載の遊技機。
【手続補正２】
【補正対象書類名】明細書
【補正対象項目名】０００６
【補正方法】変更
【補正の内容】
【０００６】
上記した目的を達成するために、請求項１に係る発明においては、遊技領域内に配置され遊技媒体が入賞可能な始動口と、前記遊技領域内に配置され遊技媒体が開放時に入賞可能となる開閉入賞装置と、前記始動口に遊技媒体が入賞したことに基づいて抽選を行う抽選手段と、前記抽選手段の抽選結果が当りであるとき、当該当りの種別に応じた開閉動作で前記開閉入賞装置を制御する開閉動作制御手段と、前記開閉動作制御手段による前記開閉入賞装置の開放時に遊技媒体を入賞させたとき、所定数の遊技媒体を払い出す払出手段と、前記開閉入賞装置の開閉動作を行った後の抽選において前記抽選手段の抽選結果が当りとなる確率を通常時よりも高い高確率状態に所定の割合で制御する高確率状態制御手段と、前記開閉入賞装置の開閉動作を行った後に前記高確率状態に制御するか否かを遊技者が判別困難とする潜伏演出を実行する潜伏演出実行手段と、を備え、前記開閉動作制御手段は、前記抽選手段の抽選結果が長開放当りである場合、前記開閉入賞装置の開閉動作を、遊技媒体が入賞容易となり且つ遊技者が獲得可能な利益を異ならせた複数種類の動作のうち、前記利益がもっとも少なくなる動作とした第一開閉動作制御手段と、前記抽選手段の抽選結果が短開放当りである場合、前記開閉入賞装置の開閉動作を、遊技媒体が入賞困難な動作とした第二開閉動作制御手段と、を含み、前記高確率状態制御手段は、前記第二開閉動作制御手段により前記開閉入賞装置の開閉動作を行った後の抽選において前記高確率状態に制御される割合よりも、前記第一開閉動作制御手段により前記開閉入賞装置の開閉動作を行った後の抽選において前記高確率状態に制御される割合のほうが高く設定されており、前記潜伏演出実行手段は、前記第二開閉動作制御手段により前記開閉入賞装置の開閉動作を行った後に実行される潜伏演出よりも、前記第一開閉動作制御手段により前記開閉入賞装置の開閉動作を行った後に実行される潜伏演出のほうが前記高確率状態に制御されている割合が高いことを特徴とする。
【手続補正３】
【補正対象書類名】明細書
【補正対象項目名】０００７
【補正方法】変更
【補正の内容】
【０００７】
請求項１記載の遊技機によれば、抽選手段の抽選結果が当りのうち長開放当りとなることに基づいた開閉入賞装置の開閉動作、又は短開放当りとなることに基づいた開閉入賞装置の開閉動作のいずれを行った場合にも、高確率状態に制御するか否かを遊技者が判別困難とする潜伏演出を実行している。このため、開閉入賞装置の開閉動作を行った後には、高確率状態に制御されているか否かを判別困難なままに、抽選において次回の当りが発生するまで遊技者の持ち球を消費し続けなければならない。しかしながら、抽選手段の抽選結果が当りのうち長開放当りとなった場合には、開閉入賞装置の開閉動作を、遊技媒体が入賞容易となり且つ遊技者が獲得可能な利益を異ならせた複数種類の動作のうち、利益がもっとも少なくなる動作としたため、少量でありながらも遊技媒体を獲得することができ、抽選において次回の当りが発生するまでに必要な遊技者の持ち球の一部又は全部を事前に担保することができる。すなわち、第一開閉動作制御手段による開閉入賞装置の開閉動作において獲得した遊技媒体を用いて、その開閉入賞装置の開閉動作を行うよりも前の遊技者の持ち球を極力減らすことがなく、潜伏演出における遊技を行うことができる。
【手続補正４】
【補正対象書類名】明細書
【補正対象項目名】０００８
【補正方法】変更
【補正の内容】
【０００８】
また、第一開閉動作制御手段により開閉入賞装置の開閉動作を行った後に実行される潜伏演出では、第二開閉動作制御手段により開閉入賞装置の開閉動作を行った後に実行される潜伏演出よりも高確率状態に制御されている割合を高くしている。このため、抽選において次回の当りが発生するまでに必要な遊技者の持ち球について、第一開閉動作制御手段による開閉入賞装置の開閉動作において獲得した遊技媒体で充足される可能性を高めることができる。したがって、潜伏演出において高確率状態に制御されていながらも、開閉入賞装置の開閉動作を行うよりも前の遊技者の持ち球を減らすような状況を極力防ぐことで、興趣の低下を抑制することができる。
また、請求項２記載の遊技機によれば、乱数を取得する乱数取得手段を備え、前記抽選手段は、前記乱数取得手段により取得された乱数に基づいて抽選を行うことを特徴とする。
また、請求項３記載の遊技機によれば、前記遊技領域に向けて遊技媒体を打ち込む発射手段を備えることを特徴とする。
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
記録部と、
前記記録部に設けられ、記録媒体に対して記録を施すための記録ヘッドと、
前記記録部に設けられ、前記記録ヘッドを支持して移動する記録用キャリッジと、
画像読取部と、
前記画像読取部に設けられ、画像を読み取るための読取センサーと、
前記画像読取部に設けられ、前記読取センサーを支持して移動する読取用キャリッジと、
前記画像読取部に設けられ、前記読取用キャリッジを移動させるために前記読取用キャリッジに搭載される駆動源と、を備え、
前記画像読取部の前記読取用キャリッジは、前記記録部の前記記録用キャリッジよりも上方で移動し、
前記画像読取部の前記駆動源は、前記記録用キャリッジの移動領域から外れた位置において、前記記録用キャリッジと上下方向において重なるように配置されていることを特徴とする複合機。
【請求項２】
前記記録部は、前記記録媒体を前記記録ヘッドにより記録が施されることになる下流側に向けて給送する給送機構を有し、
前記記録部の前記記録用キャリッジは、前記搬送方向と交差する方向に沿って移動し、
前記画像読取部の前記駆動源は、前記記録部の前記記録用キャリッジよりも前記搬送方向の下流側に配置されていることを特徴とする請求項１に記載の複合機。
【請求項３】
前記画像読取部は、前記読取用キャリッジを下方から支持するとともに、前記記録用キャリッジの移動方向に延設され、前記読取用キャリッジの移動を案内するガイドレールを有し、
前記読取用キャリッジの前記ガイドレールは、前記搬送方向において前記駆動源と前記記録用キャリッジとの間に配置されていることを特徴とする請求項１または２に記載の複合機。
【請求項４】
前記画像読取部は、前記読取用キャリッジに接続される可撓性ケーブルを有し、
前記可撓性ケーブルは、前記記録部の前記記録用キャリッジに対して、前記画像読取部の前記駆動源とは反対側に配置されていることを特徴とする請求項１ないし３のいずれか一項に記載の複合機。
【請求項５】
記録部と、
前記記録部に設けられ、記録媒体に対して記録を施すための記録ヘッドと、
前記記録部に設けられ、前記記録ヘッドを支持して移動する記録用キャリッジと、
画像読取部と、
前記画像読取部に設けられ、画像を読み取るための読取センサーと、
前記画像読取部に設けられ、前記読取センサーを支持して移動する読取用キャリッジと、
前記画像読取部に設けられ、前記読取用キャリッジを移動させるために前記読取用キャリッジに搭載される駆動源と、
前記画像読取部に設けられ、前記読取用キャリッジ及び前記駆動源を収容する読取部ケースと、を備え、
前記画像読取部の前記読取用キャリッジは、前記記録部の前記記録用キャリッジよりも上方で移動し、
前記読取部ケースの前記駆動源を収容する駆動源収容ケース部は、前記記録用キャリッジの移動領域から外れた位置において、前記記録用キャリッジと上下方向において重なるように配置されていることを特徴とする複合機。
【請求項６】
前記画像読取部は、前記読取用キャリッジに接続される可撓性ケーブルを有し、
前記読取部ケースは、前記可撓性ケーブルを収容する可撓性ケーブル収容ケース部を有し、
前記可撓性ケーブル収容ケース部は、前記記録部に向けて突き出していることを特徴とする請求項５に記載の複合機。
【請求項７】
前記可撓性ケーブル収容ケース部は、前記記録部の前記記録用キャリッジに対して、前記画像読取部の前記駆動源とは反対側に配置されていることを特徴とする請求項６に記載の複合機。
【手続補正２】
【補正対象書類名】明細書
【補正対象項目名】０００８
【補正方法】変更
【補正の内容】
【０００８】
上記目的を達成するために、本発明の複合機は、記録部と、前記記録部に設けられ、記録媒体に対して記録を施すための記録ヘッドと、前記記録部に設けられ、前記記録ヘッドを支持して移動する記録用キャリッジと、画像読取部と、前記画像読取部に設けられ、画像を読み取るための読取センサーと、前記画像読取部に設けられ、前記読取センサーを支持して移動する読取用キャリッジと、前記画像読取部に設けられ、前記読取用キャリッジを移動させるために前記読取用キャリッジに搭載される駆動源と、を備え、前記画像読取部の前記読取用キャリッジは、前記記録部の前記記録用キャリッジよりも上方で移動し、前記画像読取部の前記駆動源は、前記記録用キャリッジの移動領域から外れた位置において、前記記録用キャリッジと上下方向において重なるように配置されていることを特徴とする。
また、本発明の複合機は、記録部と、前記記録部に設けられ、記録媒体に対して記録を施すための記録ヘッドと、前記記録部に設けられ、前記記録ヘッドを支持して移動する記録用キャリッジと、画像読取部と、前記画像読取部に設けられ、画像を読み取るための読取センサーと、前記画像読取部に設けられ、前記読取センサーを支持して移動する読取用キャリッジと、前記画像読取部に設けられ、前記読取用キャリッジを移動させるために前記読取用キャリッジに搭載される駆動源と、前記画像読取部に設けられ、前記読取用キャリッジ及び前記駆動源を収容する読取部ケースと、を備え、前記画像読取部の前記読取用キャリッジは、前記記録部の前記記録用キャリッジよりも上方で移動し、前記読取部ケースの前記駆動源を収容する駆動源収容ケース部は、前記記録用キャリッジの移動領域から外れた位置において、前記記録用キャリッジと上下方向において重なるように配置されていることを特徴とする。
また、本発明の複合機は、記録媒体に対して記録を施すための記録ヘッド及び該記録ヘッドを支持して移動する記録用キャリッジを有する記録部と、画像を読み取るための読取センサー及び該読取センサーを支持して移動する読取用キャリッジ及び該読取用キャリッジを移動させるために前記読取用キャリッジに搭載される駆動源を有する画像読取部とが上下方向に並べて配置された複合機であって、前記画像読取部の前記駆動源は、前記記録用キャリッジの上方位置及び下方位置から外れた位置において、該記録用キャリッジと上下方向において重なるように配置されている。
【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
基板と、
前記基板の上方に配置されている第１電極と、
前記基板の上方に配置されている支持部、および前記支持部から延出し前記第１電極と対向配置された梁部を有する第２電極と、
を備え、
前記第１電極は、
平面視において前記第２電極の外縁よりも外側に形成されている第１側面と、
平面視において前記第２電極の外縁よりも内側に形成されている第２側面と、
を有し、
前記第１側面は、前記基板の上面に対して傾斜し、
前記第２側面と前記第１電極の上面とは、角部を構成している、ＭＥＭＳ振動子。
【請求項２】
前記第２側面と前記第１電極の上面がなす前記角部の角度は、９０°以上１００°以下の範囲内にある、請求項１に記載のＭＥＭＳ振動子。
【請求項３】
前記第１側面と前記基板の上面がなす角度は、５°以上４５°以下の範囲内にある、請求項１または２に記載のＭＥＭＳ振動子。
【請求項４】
請求項１ないし３のいずれか１項に記載のＭＥＭＳ振動子を備えている、発振器。
【請求項５】
基板と、
前記基板の上方に配置されている第１電極と、
前記基板の上方に配置されている支持部、および前記支持部から延出し前記第１電極と対向配置された梁部を有する第２電極と、
を備え、
前記第１電極は、
平面視において前記第２電極の外縁よりも外側に配置されている第１側面と、
平面視において前記第２電極の外縁よりも内側に配置されている第２側面と、
を有し、
前記第１側面は、前記基板の上面に対して傾斜し、
前記第２側面と前記第１電極の上面とは、角部を構成している、ＭＥＭＳ振動子の製造方法であって、
前記基板の上方に配置されている第１半導体層に不純物を注入して第１領域を形成する工程と、
前記第１領域をパターニングして前記基板の上面に対して傾斜する前記第１側面を形成する工程と、
前記第１領域と隣接する前記第１半導体層の第２領域をパターニングして前記第１半導体層の上面と角部を構成する前記第２側面を形成する工程と、
前記第１半導体層の上方に配置されている第２半導体層の上方にマスク層を配置し、前記第２半導体層をパターニングする工程と、
を含み、
前記第２半導体層をパターニングする工程では、前記第１側面が平面視において前記マスク層の外縁よりも外側に位置し、前記第２側面が平面視において前記マスク層の外縁よりも内側に配置されている、ＭＥＭＳ振動子の製造方法。
【請求項６】
前記第１半導体層をパターニングする工程において、前記第１半導体層のパターニングは、ドライエッチングで行われる、請求項５に記載のＭＥＭＳ振動子の製造方法。
【請求項７】
前記第１半導体層の前記第１領域に不純物を注入する工程において、前記第２領域の上方にマスク層を形成して露出した前記第１領域に不純物を注入し、
前記第２半導体層をパターニングする工程で配置したマスク層と前記第１半導体層の前記第１領域に不純物を注入する工程で形成したマスク層とは、同じマスクによって形成される、請求項５または６に記載のＭＥＭＳ振動子の製造方法。
【請求項８】
さらに、前記第２半導体層をパターニングする工程で配置したマスク層の平面形状を測定する工程を含む、請求項５ないし７のいずれか１項に記載のＭＥＭＳ振動子の製造方法。
【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
放射線を電気信号へ変換して蓄積する蓄積手段と、前記電気信号をサンプルホールドして画素回路ごとにアナログ信号として出力する出力手段とを備える放射線撮像装置であって、
同期信号を検出する検出手段と、
前記同期信号に応じた撮像間隔で、前記放射線の曝射を開始し、曝射時間が経過した後に、前記電気信号をサンプルホールドするように前記蓄積手段と前記出力手段とを制御する制御手段と、
前記出力手段が前記アナログ信号を出力するための前記画素回路の位置を選択する選択手段と、
前記曝射時間と、全ての画素回路に対する前記アナログ信号の出力に要する出力時間との合計時間が、前記撮像間隔より大きいか否かを判定する判定手段とを備え、
前記判定手段により前記合計時間が前記撮像間隔より大きいと判定された場合、前記出力手段が所定の画素回路数分の前記電気信号をアナログ信号として出力した後、前記選択手段は前記選択を停止し、前記出力手段は当該選択の停止に応じて前記出力を停止し、
前記検出手段により前記同期信号が改めて検出されたら前記蓄積手段による前記蓄積をリセットし、当該同期信号に応じた撮像間隔で前記放射線の曝射を開始してから所定時間経過後、当該曝射時間が経過する前に、前記選択手段は前記選択を再開し、前記出力手段は残りの画素回路の位置での前記出力を再開することを特徴とする放射線撮像装置。
【請求項２】
前記出力手段により、前記放射線を曝射する前に予め出力された前記アナログ信号に基づいて固定パターンノイズの画素値データを取得し、当該取得された画素値データと、前記出力手段により出力された前記アナログ信号に基づく放射線画像との差分に基づいてノイズのオフセットを補正する補正手段をさらに備えることを特徴とする請求項１に記載の放射線撮像装置。
【請求項３】
前記選択手段は、前記アナログ信号を出力する前記画素回路の位置を画素回路の列ごとに選択することを特徴とする請求項１または２に記載の放射線撮像装置。
【請求項４】
放射線を電気信号へ変換して蓄積する蓄積手段と、前記電気信号をサンプルホールドして画素回路ごとにアナログ信号として出力する出力手段と、検出手段と、制御手段と、選択手段と、判定手段とを備える放射線撮像装置の制御方法であって、
前記検出手段が、同期信号を検出する検出工程と、
前記制御手段が、前記同期信号に応じた撮像間隔で、前記放射線の曝射を開始し、曝射時間が経過した後に、前記電気信号をサンプルホールドするように前記蓄積手段と前記出力手段とを制御する制御工程と、
前記選択手段が、前記アナログ信号を出力するための前記画素回路の位置を選択する選択工程と、
前記判定手段が、前記曝射時間と、全ての画素回路に対する前記アナログ信号の出力に要する出力時間との合計時間が、前記撮像間隔より大きいか否かを判定する判定工程とを有し、
前記判定工程により前記合計時間が前記撮像間隔より大きいと判定された場合、前記出力手段が所定の画素回路数分の前記電気信号をアナログ信号として出力した後、前記選択工程により前記選択を停止し、前記出力手段は当該選択の停止に応じて前記出力を停止し、
前記検出工程により前記同期信号が改めて検出されたら前記蓄積手段による前記蓄積をリセットし、当該同期信号に応じた撮像間隔で前記放射線の曝射を開始してから所定時間経過後、当該曝射時間が経過する前に、前記選択工程による前記選択を再開し、前記出力手段は残りの画素回路の位置での前記出力を再開することを特徴とする放射線撮像装置の制御方法。
【請求項５】
コンピュータに請求項４に記載の放射線撮像装置の制御方法における各工程を実行させるためのプログラム。
【手続補正２】
【補正対象書類名】明細書
【補正対象項目名】００１０
【補正方法】変更
【補正の内容】
【００１０】
上記の目的を達成する本発明に係る画像処理装置は、
放射線を電気信号へ変換して蓄積する蓄積手段と、前記電気信号をサンプルホールドして画素回路ごとにアナログ信号として出力する出力手段とを備える放射線撮像装置であって、
同期信号を検出する検出手段と、
前記同期信号に応じた撮像間隔で、前記放射線の曝射を開始し、曝射時間が経過した後に、前記電気信号をサンプルホールドするように前記蓄積手段と前記出力手段とを制御する制御手段と、
前記出力手段が前記アナログ信号を出力するための前記画素回路の位置を選択する選択手段と、
前記曝射時間と、全ての画素回路に対する前記アナログ信号の出力に要する出力時間との合計時間が、前記撮像間隔より大きいか否かを判定する判定手段とを備え、
前記判定手段により前記合計時間が前記撮像間隔より大きいと判定された場合、前記出力手段が所定の画素回路数分の前記電気信号をアナログ信号として出力した後、前記選択手段は前記選択を停止し、前記出力手段は当該選択の停止に応じて前記出力を停止し、
前記検出手段により前記同期信号が改めて検出されたら前記蓄積手段による前記蓄積をリセットし、当該同期信号に応じた撮像間隔で前記放射線の曝射を開始してから所定時間経過後、当該曝射時間が経過する前に、前記選択手段は前記選択を再開し、前記出力手段は残りの画素回路の位置での前記出力を再開することを特徴とする。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段による撮像に応じて位置情報を取得する取得手段と、
前記撮像手段により生成された画像に、前記取得手段により取得された位置情報を付加する付加手段と、
前記取得手段による位置情報の取得処理が開始された後であり、かつ前記付加手段により前記画像に位置情報を付加する前に、前記画像に対して所定の動作を行うための指示を受け付けた場合、前記画像に対する所定の動作を行う前に、該所定の動作を行うか否かの指示を受け付けるよう制御する制御手段とを有することを特徴とする撮像装置。
【請求項２】
前記取得手段による位置情報の取得状態を判断する判断手段と、
前記制御手段は、前記判断手段により判断された前記位置情報の取得状態に応じて、前記所定の動作を行うか否かの指示を受け付けるか否かを制御することを特徴とする請求項１に記載の撮像装置。
【請求項３】
前記取得手段は、外部装置からの信号を受信する受信手段を含み、
前記取得手段による位置情報の取得状態とは、前記受信手段による信号の受信中である状態、または前記受信手段による信号の受信待ちである状態を含むことを特徴とする請求項２に記載の撮像装置。
【請求項４】
前記取得手段は、外部装置からの信号を受信する受信手段と、前記受信手段により受信した信号に基づき位置情報を決定する決定手段とを含み、
前記取得手段による位置情報の取得状態とは、前記決定手段による位置情報の決定中である状態、または前記決定手段による位置情報の決定が完了した状態を含むことを特徴とする請求項２に記載の撮像装置。
【請求項５】
前記受信手段はＧＰＳを用いて前記信号を受信することを特徴とする請求項３または４に記載の撮像装置。
【請求項６】
前記所定の動作は、前記取得手段の動作を停止する動作を含むことを特徴とする請求項２乃至５のいずれか１項に記載の撮像装置。
【請求項７】
前記撮像手段により生成された前記画像を外部装置に送信する送信手段を更に有し、
前記所定の動作は、前記撮像手段により取得された画像を、前記送信手段により外部装置に送信するための動作を含むことを特徴とする請求項２乃至６のいずれか１項に記載の撮像装置。
【請求項８】
前記制御手段が前記所定の動作を行うか否かの指示を受け付けるよう制御する際に、前記取得手段による位置情報の取得状態を通知する通知手段を有することを特徴とする請求項２乃至７のいずれか１項に記載の撮像装置。
【請求項９】
前記制御手段が前記所定の動作を行うか否かの指示を受け付けるよう制御する際に、前記取得手段による位置情報の取得状態を通知する通知手段を有し、
前記通知手段は、前記外部装置が、前記撮像装置から受信した画像に付加する位置情報を演算する手段を有しているか否かに応じて、通知する内容を異ならせることを特徴とする請求項７に記載の撮像装置。
【請求項１０】
前記通知手段が通知するための通知方法を予め設定する手段を更に有し、
前記通知方法は、表示部に表示する処理および音声を発する処理のうちの少なくとも一つを含むことを特徴とする請求項８又は９に記載の撮像装置。
【請求項１１】
撮影工程と、
前記撮像工程での撮像に応じて位置情報を取得する取得工程と、
前記撮影工程にて生成された画像に、前記取得工程にて取得された位置情報を付加する付加工程と、
前記取得工程にて位置情報の取得処理が開始された後、かつ前記付加工程にて前記画像に位置情報を付加する前に、前記画像に対する所定の動作を行うための指示を受け付けた場合、前記画像に対する所定の動作を行う前に、該所定の動作を行うか否かの指示を受け付ける工程とを有することを特徴とする撮像装置の制御方法。
【請求項１２】
コンピュータを、請求項１乃至１０に記載の撮像装置の各手段として機能させるための、コンピュータが読み取り可能なプログラム。
【手続補正２】
【補正対象書類名】明細書
【補正対象項目名】０００９
【補正方法】変更
【補正の内容】
【０００９】
上記目的を達成するために、本発明の撮像装置は、撮像手段と、前記撮像手段による撮像に応じて位置情報を取得する取得手段と、前記撮像手段により生成された画像に、前記取得手段により取得された位置情報を付加する付加手段と、前記取得手段による位置情報の取得処理が開始された後であり、かつ前記付加手段により前記画像に位置情報を付加する前に、前記画像に対して所定の動作を行うための指示を受け付けた場合、前記画像に対する所定の動作を行う前に、該所定の動作を行うか否かの指示を受け付けるよう制御する制御手段とを有することを特徴とする。
【手続補正３】
【補正対象書類名】明細書
【補正対象項目名】００１０
【補正方法】変更
【補正の内容】
【００１０】
本発明によれば、ユーザの意図した結果の得られない動作を実行してしまう可能性を低減することができる。
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
車両に設けられ、前記車両の周囲の画像を運転者に提供する画像提供装置であって、
前記車両周囲に位置する第１の撮像範囲を有する第１の撮像手段と、
前記車両周囲で前記第１の撮像範囲と重ならない第２の撮像範囲を有する第２の撮像手段と、
前記第１の撮像手段の撮像した画像である第１画像を運転者に提供する第１の画像提供手段と、
前記第１の画像提供手段と別に設けられ、前記第２の撮像手段の撮像した画像である第２画像を運転者に提供する第２の画像提供手段と、
前記第１の画像提供手段の提供する前記第１画像の画像表示パラメータに応じて、前記第２の画像提供手段の提供する前記第２画像の画像表示パラメータを補正する画像表示パラメータ補正手段と、
前記第１画像又は前記第２画像に前記運転者が注意すべき注意対象物が含まれているか否かを判定する注意対象物判定手段と、
を備え、
前記画像表示パラメータ補正手段は、前記注意対象物判定手段に前記注意対象物が含まれていると判定された前記画像を強調する補正を行うことを特徴とする画像提供装置。
【請求項２】
前記第１の撮像手段は、前記車両の前部右側に設けられ、前記第１画像として前記車両の右後方の画像を撮像する右サイドカメラであり、
前記第２の撮像手段は、前記車両の前部左側に設けられ、前記第２画像として前記車両の左後方の画像を撮像する左サイドカメラであることを特徴とする請求項１に記載の画像提供装置。
【請求項３】
前記第１の画像提供手段と前記第２の画像提供手段とは、前記車両内に並べて配置されていることを特徴とする請求項１又は請求項２に記載の画像提供装置。
【請求項４】
前記画像表示パラメータ補正手段は、前記第１の画像提供手段の提供する前記第１画像の画像表示パラメータと前記第２の画像提供手段の提供する前記第２画像の画像表示パラメータとの比較に基づいて、前記第１画像の画像表示パラメータ又は前記第２画像の画像表示パラメータを補正することを特徴とする請求項１〜３のうち何れか一項に記載の画像提供装置。
【請求項５】
前記画像表示パラメータ補正手段は、前記第１の画像の画像表示パラメータ及び前記第２の画像の画像表示パラメータの両方を補正することを特徴とする請求項１〜請求項４の何れか一項に記載の画像提供装置。
【請求項６】
前記車両周囲の環境状態を検出する環境状態検出手段を更に備え、
前記画像表示パラメータ補正手段は、前記環境状態検出手段の検出結果に基づいて、前記画像表示パラメータを補正することを特徴とする請求項１〜請求項５の何れか一項に記載の画像提供装置。
【手続補正２】
【補正対象書類名】明細書
【補正対象項目名】０００６
【補正方法】変更
【補正の内容】
【０００６】
上記課題を解決するため、本発明は、車両に設けられ、車両の周囲の画像を運転者に提供する画像提供装置であって、車両周囲に位置する第１の撮像範囲を有する第１の撮像手段と、車両周囲で第１の撮像範囲と重ならない第２の撮像範囲を有する第２の撮像手段と、第１の撮像手段の撮像した画像である第１画像を運転者に提供する第１の画像提供手段と、第１の画像提供手段と別に設けられ、第２の撮像手段の撮像した画像である第２画像を運転者に提供する第２の画像提供手段と、第１の画像提供手段の提供する第１画像の画像表示パラメータに応じて、第２の画像提供手段の提供する第２画像の画像表示パラメータを補正する画像表示パラメータ補正手段と、第１画像又は第２画像に運転者が注意すべき注意対象物が含まれているか否かを判定する注意対象物判定手段と、を備え、画像表示パラメータ補正手段は、注意対象物判定手段に注意対象物が含まれていると判定された画像を強調する補正を行うことを特徴とする。
【手続補正３】
【補正対象書類名】明細書
【補正対象項目名】０００７
【補正方法】変更
【補正の内容】
【０００７】
本発明に係る画像提供装置によれば、第１又は第２の撮像手段の一方が影に入った場合
など、第１画像と第２画像との間で明度や輝度などの画像表示パラメータに大きな差が生
じた場合であっても、第１画像の画像表示パラメータに応じて第２画像の画像表示パラメ
ータを補正することで、画像表示パラメータの差を小さくすることができるので、運転者
による画像の視認性の向上を図ることができる。また、この画像提供装置によれば、運転者が注意すべき注意対象物が画像に含まれている場合に、明度を増加させるなど当該画像を強調する補正を行うことで運転者を自然に画像へと注目させ、注意対象物の存在を気づかせることができる。更に、画像表示パラメータによる強調であるため、運転者に煩わしさを感じさせない。
【手続補正４】
【補正対象書類名】明細書
【補正対象項目名】００１３
【補正方法】削除
【補正の内容】
【手続補正書】
【提出日】平成25年7月29日(2013.7.29)
【手続補正１】
【補正対象書類名】明細書
【補正対象項目名】００１５
【補正方法】変更
【補正の内容】
【００１５】
３は各種データの配信元または収集元の各センタ５と繋がるゲートウェイであって、各種センタ５として、緊急情報を配信または収集する緊急情報センタ５−１，催事や広告等に係わる情報を配信する情報センタ５−２、電気、ガス、水道等の使用量に係わるデータを収集する検針センタ５−３を例示している。なお、本装置１と各種センタ５との間に設置されるゲートウェイ３は、本装置１から見てローカル接続されたローカル機器であって、アドレスを指定することによって動作させることができる。
【手続補正２】
【補正対象書類名】明細書
【補正対象項目名】００２２
【補正方法】変更
【補正の内容】
【００２２】
図３は本装置１の動作フローチャートである。以下、図１、図２を併用し、本装置１の動作フローを説明する。本装置１の動作フローは便宜上、無線中継装置１−９を例について説明する。
【手続補正書】
【提出日】平成25年10月2日(2013.10.2)
【手続補正１】
【補正対象書類名】特許請求の範囲
【補正対象項目名】請求項１
【補正方法】変更
【補正の内容】
【請求項１】
（１）  被処理体上にタングステン膜又は酸化タングステン膜を形成し、
（２）  前記被処理体を加熱し、前記加熱された前記被処理体に、アミノシラン系ガスを供給し、
（３）  前記アミノシラン系ガスが供給された前記被処理体に、シリコンを含むシリコン原料ガスと、酸化剤を含むガスとを交互に供給し、前記タングステン膜又は酸化タングステン膜が形成された前記被処理体上に、酸化シリコン膜を形成することを特徴とするタングステン膜又は酸化タングステン膜上への酸化シリコン膜の成膜方法。
【手続補正２】
【補正対象書類名】明細書
【補正対象項目名】０００７
【補正方法】変更
【補正の内容】
【０００７】
この発明の第１の態様に係るタングステン膜又は酸化タングステン膜上への酸化シリコン膜の成膜方法は、（１）被処理体上にタングステン膜又は酸化タングステン膜を形成し、（２）前記被処理体を加熱し、前記加熱された前記被処理体に、アミノシラン系ガスを供給し、（３）前記アミノシラン系ガスが供給された前記被処理体に、シリコンを含むシリコン原料ガスと、酸化剤を含むガスとを交互に供給し、前記タングステン膜又は酸化タングステン膜が形成された前記被処理体上に、酸化シリコン膜を形成する。
【手続補正３】
【補正対象書類名】明細書
【補正対象項目名】０００８
【補正方法】変更
【補正の内容】
【０００８】
この発明の第２の態様に係る成膜装置は、タングステン膜又は酸化タングステン膜上への酸化シリコン膜を成膜する成膜装置であって、前記タングステン膜又は酸化タングステン膜が形成された被処理体を収容する処理室と、前記処理室内に、アミノシラン系ガス及びシリコン原料ガスの少なくとも一方、並びに酸化剤を含むガスを供給するガス供給機構と、前記処理室内を加熱する加熱装置と、前記処理室内を排気する排気装置と、前記ガス供給機構、前記加熱装置、前記排気装置を制御するコントローラと、を備え、前記コントローラが、前記処理室内において、上記第１の態様に係るタングステン膜又は酸化タングステン膜上への酸化シリコン膜の成膜方法が、前記被処理体に対して実行されるように、前記ガス供給機構、前記加熱装置、前記排気装置を制御する。
【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
送信信号の歪みを補償する歪み補償回路であって、
送信信号を遅延させる第１の遅延回路及び第２の遅延回路と、
送信信号の包絡線の値を演算する包絡線演算部と、
使用周波数帯域を含む特定帯域の通過特性を有し、アンプからのフィードバック信号を前記通過特性に従って通過させて出力するフィルタと、
前記フィルタからの出力を直交復調する直交復調器と、
前記第２の遅延回路からの出力と前記直交復調器からの出力を基に歪み補償を行うためのルックアップテーブル係数を演算するルックアップテーブル係数演算部と、
包絡線の値と前記ルックアップテーブル係数とを対応付けてルックアップテーブルに記憶する動作を行い、前記ルックアップテーブルを参照して前記包絡線演算部で演算された包絡線の値に対応するルックアップテーブル係数を出力するルックアップテーブル係数設定部と、
前記第１の遅延回路からの出力に前記ルックアップテーブル係数設定部から出力されたルックアップテーブル係数を乗算してアンプに出力する乗算器とを有することを特徴とする歪み補償回路。
【請求項２】
フィルタは、使用周波数帯域の前又は後、若しくは前後両方の周波数の通過を制限するものであることを特徴とする請求項１記載の歪み補償回路。
【請求項３】
フィルタは、外部からの設定で通過特性を変更可能としたことを特徴とする請求項１又は２記載の歪み補償回路。
【請求項４】
送信信号の歪みを補償する歪み補償方法であって、
送信信号のＩ・Ｑ成分を第１の遅延部及び第２の遅延部及び包絡線演算部に分配し、
アンプからのフィードバック信号をフィルタの通過特性に従って通過させ、
当該通過させた信号を直交復調し、
当該直交復調した信号と前記第２の遅延部からの出力信号を基に歪み補償を行うためのルックアップテーブル係数を演算し、
前記ルックアップテーブル係数と包絡線の値を対応付けてルックアップテーブルに記憶し、
前記ルックアップテーブルを参照して、前記包絡線演算部で演算された包絡線の値に対応するルックアップテーブル係数を出力し、
前記ルックアップテーブル係数と前記第１の遅延部からの出力信号を乗算して前記アンプに出力することを特徴とする歪み補償方法。
【手続補正２】
【補正対象書類名】明細書
【補正対象項目名】発明の名称
【補正方法】変更
【補正の内容】
【発明の名称】歪み補償回路および歪み補償方法
【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
ネットワークのメディアアクセス制御機能を一つ備える制御部を有し、メンテナンス情報のパケットを下位装置から上位装置に送信する無線装置であって、
バッファを有し、前記下位装置からのパケット入力を監視し、前記下位装置からのパケット入力を検出すると、通信状況を報告すると共に、自装置のパケットを送信中である場合に前記下位装置からのパケットを前記バッファに記憶する監視／バッファと、
前記制御部から出力されたパケットを前記上位装置に送信する物理層と、
前記通信状況を入力すると、キャリアセンス信号を前記制御部に出力し、前記キャリアセンス信号を出力した際に前記制御部から前記物理層にパケットが出力されている場合にはコリジョン信号も出力する状態報告／再送要求部と、
前記監視／バッファから出力される下位装置のパケットと前記物理層から出力される自装置のパケットのいずれかを選択して前記上位装置に送信するセレクタとを備え、
前記制御部は、前記キャリアセンス信号の入力により自装置のパケットを前記物理層に出力するのを停止し、前記コリジョン信号の入力により前記物理層に出力した自装置のパケットを、時間をおいて前記物理層に再送し、
前記セレクタは、前記物理層からの自装置のパケットが入力された場合には、当該パケットを選択するものの、前記監視／バッファから入力される下位装置のパケットを優先して選択することを特徴とする無線装置。
【請求項２】
下位装置から上位装置へのパケットの送信について衝突を回避するための監視／バッファ部を備えた無線装置であって、
監視／バッファ部は、
下位装置からのパケットが入力されたか否かを監視し、
入力された場合には状態報告／再送要求部に通信状態を報告し、
物理層からのパケットをセレクタが選択出力中であるか否かを判定し、
選択出力中でなければ下位装置からのパケットをセレクタを介して上位装置へ送信し、
物理層からのパケットをセレクタが選択出力中であれば下位装置からのパケットをバッファリングし、
物理層からのパケットを通信完了したか否かをセレクタからの制御信号により判定し、
物理層からのパケットの通信が完了していればバッファしたパケットをセレクタを介して上位装置へ送信することを特徴とする無線装置。
【請求項３】
請求項２記載の通信装置であって、
物理層に送信するパケットを出力する制御部は、
状態報告／再送要求部からの通信状態の報告により下位装置からのパケットが送信中であると判定した場合には物理層への新たなパケットの出力を停止することを特徴とする無線装置。